(57)【特許請求の範囲】
【請求項１】
少なくともマイナスイオン水とプラスイオン水からなる洗浄水が供給される洗浄タンク内にバフをセットし、該バフを回転させつつ洗浄する洗浄装置であって、前記洗浄タンク内に、セットされたバフの研磨部を支持する棒状の支持部材を配置し、該支持部材の下方に洗浄水を上方に向けて噴射し得るノズルを配置すると共に、該洗浄タンク内のノズルから所定の洗浄水を択一的に噴射する如く制御する制御装置を備えたことを特徴とするバフ用洗浄装置。
【請求項２】
前記洗浄タンクにセットされたバフを固定保持するロック機構を有することを特徴とする請求項１記載のバフ用洗浄装置。
【請求項３】
前記支持部材が略十字形状に形成され、その外周端が洗浄タンクの内面に弾性支持されていることを特徴とする請求項１または２記載のバフ用洗浄装置。
【請求項４】
前記制御装置は、マイナスイオン水用、プラスイオン水用及び水道水用の各足踏みスイッチからの信号に基づいて、前記ノズルからマイナスイオン水、プラスイオン水、水道水のいずれかを噴射させることを特徴とする請求項１ないし３のいずれかに記載のバフ用洗浄装置。
【発明の詳細な説明】
【０００１】
【発明の属する技術分野】
本発明は、例えば自動車のボディの塗装面をバア研磨（バフ仕上げ）する際に使用されるバフの洗浄装置に係わり、特に、使用によって汚れたバフを効率良く洗浄し得るバフ用洗浄装置に関する。
【０００２】
【従来の技術】
一般的に、自動車の修理工場等においては、ボディの再塗装や修復した塗装面の仕上げとして、研磨部が例えば羊毛で形成されたバフが使用されており、この使用したバフの研磨部には、ゴミやワックス及び酸化物等が付着して汚れるため、定期的に研磨部を洗浄する必要がある。従来、このバフの洗浄には、例えば図７に示す洗浄装置１０１が使用されている。
【０００３】
この洗浄装置１０１は、円錐状の底面１０２ａを有すると共に脚１０３によって床面上に支持された洗浄タンク１０２を有し、この洗浄タンク１０２の底面１０２ａにノズル１０４が配置されると共に、洗浄タンク１０２の上面開口側の周壁の一部にバフセット用の切欠部１０２ｂが設けられている。
【０００４】
そして、図７の二点鎖線で示すように、洗浄タンク１０２の切欠部１０２ｂにバフ１０５をセットして、その研磨部１０５ａを洗浄タンク１０２内に位置させ、この状態でバフ１０５の電源スイッチをオンさせて研磨部１０５ａを回転させると共に、ノズル１０４に接続された配管１０６から所定の洗浄水を上方に向けて、すなわちバフ１０５の研磨部１０５ａに向けて噴射させることによって研磨部１０５ａを洗浄するようにしている。
【０００５】
【発明が解決しようとする課題】
しかしながら、この洗浄装置１０１にあっては、洗浄タンク１０２の切欠部１０２ｂにバフ１０５をセットすることによって、その研磨部１０５ａを洗浄タンク１０２内に単に位置させて洗浄する構造であるため、洗浄作業中、回転作動しているバフ１０５を作業者が安定保持することが難しく、ノズル１０４から研磨部１０５ａに向かって噴射される洗浄水が、研磨部１０５ａに良好に当たり難い。また、バフ１０５の研磨部１０５ａの回転時に、研磨部１０５ａを形成する羊毛等を掻き回す（ほぐす）ことが難しく、これらのことから、研磨部１０５ａの洗浄効率が劣ると共に、洗浄作業の作業性及び安全性の面でも劣るという問題点があった。
【０００６】
本発明は、このような事情に鑑みてなされたもので、請求項１記載の発明の目的は、バフの研磨部の洗浄効率を向上させると共に、洗浄作業の作業性を向上させ得るバフ用洗浄装置を提供することにある。また、請求項２記載の発明の目的は、請求項１記載の発明の目的に加え、洗浄効率のより向上が図れると共に洗浄作業の安全性を向上させ得るバフ用洗浄装置を提供することにある。また、請求項３記載の発明の目的は、請求項１または２記載の発明の目的に加え、洗浄効率等をより一層向上させ得るバフ用洗浄装置を提供し、請求項４記載の発明の目的は、請求項１ないし３記載の発明の目的に加え、洗浄作業の作業性をより向上させ得るバフ用洗浄装置を提供することにある。
【０００７】
【課題を解決するための手段】
かかる目的を達成すべく、本発明のうち請求項１記載の発明は、少なくともマイナスイオン水とプラスイオン水からなる洗浄水が供給される洗浄タンク内にバフをセットし、該バフを回転させつつ洗浄する洗浄装置であって、洗浄タンク内に、セットされたバフの研磨部を支持する棒状の支持部材を配置し、該支持部材の下方に洗浄水を上方に向けて噴射し得るノズルを配置すると共に、該洗浄タンク内のノズルから所定の洗浄水を択一的に噴射する如く制御する制御装置を備えたことを特徴とする。
【０００８】
このように構成することにより、使用で汚れたバフは、その研磨部が棒状の支持部材上に載置される状態で洗浄タンク内にセットされ、このセットされたバフの回転する研磨部に、制御装置の制御によってノズルからマイナスイオン水（アルカリイオン水）やプラスイオン水（酸性水）等の洗浄水が噴射されて洗浄される。この洗浄の際、バフの回転する研磨部は、固定的に配置されている棒状の支持部材に当接しながら、すなわち羊毛等からなる研磨部が支持部材で掻き回され（ほぐされ）ながら、所定の洗浄水が噴射される。これにより、マイナスイオン水でワックス等の油脂物や酸化物が中和されてコロイド状となり研磨部から分離され、またプラスイオン水で研磨部がリンスされると共に漂白され、バフの研磨部に良好な洗浄状態が容易に得られる。
【０００９】
また、請求項２記載の発明は、洗浄タンクにセットされたバフを固定保持するロック機構を有することを特徴とする。このように構成することにより、洗浄タンクにセットされたバフを、ロック機構で洗浄タンクに固定保持することができることから、洗浄作業中、回転しているバフの研磨部の位置を安定化させることができて、洗浄効率がより向上すると共に、回転作動中のバフの洗浄タンクからの飛び出し等が確実に防止されて、洗浄作業の安全性の向上が図れる。
【００１０】
また、請求項３記載の発明は、支持部材が略十字形状に形成され、その外周端が洗浄タンクの内面に弾性支持されていることを特徴とする。このように構成することにより、バフの研磨部が略十字形状の支持部材上に載置されることから、研磨部と支持部材の当接面積が小さくなり、研磨部に各種洗浄水が良好に噴射されると共に、支持部材が例えばスプリング等で弾性支持されていることから、バフの回転時の振動等がスプリング等で吸収され、洗浄中のバフをより安定した状態に保持できて、洗浄効率等がより一層向上する。
【００１１】
また、請求項４記載の発明は、制御装置が、マイナスイオン水用、プラスイオン水用及び水道水用の各足踏みスイッチからの信号に基づいて、ノズルからマイナスイオン水、プラスイオン水、水道水のいずれかを噴射させることを特徴とする。このように構成することにより、マイナスイオン水、プラスイオン水、水道水からなる３種類の洗浄水が、各洗浄水に対応して設けた足踏みスイッチの操作によって、制御装置を介して洗浄タンク内に噴射されることから、各洗浄水の択一的な噴射が確実になると共に手による操作が不要になって、洗浄作業の作業性がより向上する。
【００１２】
【発明の実施の形態】
以下、本発明の実施の形態の一例を図面に基づいて詳細に説明する。
図１〜図６は、本発明に係わるバフ用洗浄装置の一実施例を示し、図１がその設置状態の一例を示す正面図、図２が図１のＡ−Ａ線矢視図、図３が図１のＢ−Ｂ線矢視図、図４が洗浄タンクの断面図、図５がロック機構の正面図、図６が配管及び電気系統の一例を示すフロー図である。
【００１３】
図１〜図３において、洗浄装置１は、作業台部２ａと正面パネル部２ｂからなる本体２を有し、作業台部２ａは、その上面の左寄り側に洗浄タンク３が配置され、この洗浄タンク３の後方側には洗浄作業に必要な各種薬品等の小物を保管する小物入れ部４が設けられている。
【００１４】
また、作業台部２ａの前面には、洗浄作業中の保護部材と洗浄装置１の移動時の取手を兼ねるバー５が設けられると共に、洗浄しようとするバフ６（図４参照）の電源フラグを差し込むコンセント７が設けられている。さらに、作業台部２ａの前面下部には３つの足踏みスイッチ８ａ〜８ｃが取り付けられると共に、作業台部２ａの底面には排水口９が設けられている。
【００１５】
前記正面パネル部２ｂは、作業台部２ａの後方側上部に立設され、その高さ方向の略中間位置に、スイッチ１１の操作で点灯もしくは消灯する蛍光灯１０が配置されると共に、この蛍光灯１０の上部には、アクリル板等からなるパネル１２と銘板１３が取り付けられている。なお、この正面パネル部２ｂの内部には、後述する如く洗浄装置１の動作を制御する制御装置としての制御盤１４が配置されているが、この制御盤１４は、作業台部２ａの内部や、本体２の背面等の適宜位置に設けることもできる。
【００１６】
前記洗浄タンク３は、図４に示すように、例えばステンレス板の絞り加工によって底面３ａが円錐形状に形成され、この円錐形状の底面３ａの中心部には孔１６が形成されている。この孔１６の内部には、配管１７に接続されたノズル１８が配置されると共に、孔１６の下面には、下端が前記排水口９に接続された排水管１９の上端が接続されている。また、洗浄タンク３の周壁３ｂの前面側には、バフ６をセットするための所定長さの切欠部２０が設けられており、この切欠部２０の幅は、バフ６の本体部６ａの幅より若干大きく設定され、また洗浄タンク３の内径は、バフ６の円形の研磨部６ｂの外径より若干大きく設定されている。
【００１７】
さらに、洗浄タンク３の内部には支持部材２１が弾性支持状態で上下動可能に配置されている。この支持部材２１は、断面円形のステンレス棒によって平面視十字形状に形成されて４つの支持部を有し、各支持部には所定の間隔を有してコロ状の受け部２２が一体的に固着されている。また、支持部材２１の各支持部の外周端には、下方に向けてスプリング受け棒２３が固着され、このスプリング受け棒２３は、洗浄タンク３の周壁３ｂ内面に固定した断面コ字状のブラケット２４に上下方向に貫通状態で支持されている。
【００１８】
そして、スプリング受け棒２３のブラケット２４内に位置する部分にスプリング２５が嵌挿されると共に、その下端には、スプリング受け棒２３のブケット２４からの抜けを防止するリング２６が固定されている。このスプリング２５及びブラケット２４等によって、スプリング受け棒２３、すなわち支持部材２１が洗浄タンク３内に弾性支持され、支持部材２１が上方から押圧されることによって所定距離下方に移動することになる。
【００１９】
前記洗浄タンク３が配置される作業台部２ａの左側面上部には、図３に示すように、洗浄タンク３にセットされたバフ６をロックするロック機構２７が設けられている。このロック機構２７は、図５に示すように、作業台部２ａの左側面に固定され、上下一対の板部２８ａ、２８ｂと側壁部２８ｃを有するブケット２８と、このブケット２８に上下動及び水平方向に回動可能に取り付けられたロックバー２９とで構成されている。
【００２０】
ロックバー２９は、ステンレス棒を略Ｌ字形状に屈曲させることによって形成され、その先端側２９ａにはゴム等からなるロック部３０が固定されると共に、基端側２９ｂがブラケット２８の板部２８ａ、２８ｂ間に上下方向に貫通配置されている。そして、ロックバー２９の基端側２９ｂに固定されたリング３１とブラケット２８の下方の板部２８ｂ間にはスプリング３２が嵌挿され、基端側２９ｂの下端（板部２８ｂの下方）にはリング３３が固定されている。これにより、ロックバー２９は、非ロック状態においては図５の実線で示すように、その先端側２９ａがスプリング３２で上方に付勢されると共に、ロック部３０が前方を向いた位置に設定されている。
【００２１】
また、ロック機構２７をロック状態にする場合は、ロックバー２９を実線の位置から下方に押して、ブラケット２８の側壁部２８ｃに設けたガイド溝３４の位置に設定し、この位置でロック部３０を洗浄タンク３方向（図３の矢印ハ方向）に水平回転させる。ロックバー２９のロック部３０が水平回転すると、ロック部３０がバフ６の本体６ａ上面に当接すると共に、このロックバー２９の上方への移動もブラケット２８のカイド溝３４で規制され、これにより、バフ６がロック機構２７でロックされることになる。
【００２２】
図６は、前記洗浄装置１に関連する配管及び電気系統のフロー図の一例を示しており、以下、これについて図１と対応させながら説明する。先ず、実線で示す配管系統において、洗浄タンク３のノズル１８は、バルブ３６及び出口電磁弁３７を介してポンプ３８に接続されると共に、バルブ３９及び水道水電磁弁４０を介して水道水用のバルブ４１と入口電磁弁４２に接続されている。この入口電磁弁４２は、電子水生成装置４３に接続され、ポンプ３８は三方電磁弁４４を介してアルカリイオン水タンク４５と酸性水タンク４６にそれぞれ接続されている。そして、電子水生成装置４３は、アルカリイオン水タンク４５と酸性水タンク４６にそれぞれ接続され、アルカリイオン水タンク４５には、ドレインタンク４７に接続されたオーバーフロー４８が設けられ、酸性水タンク４６には運転水位を検出するセンサ４９が設けられている。
【００２３】
なお、電子水生成装置４３は、食塩用ポリタンク５０（図１参照）から供給される食塩と、軟水器やフィルター（図示せず）を介して入口電磁弁４２から供給される水道水とを、内部の電解槽で電気分解することによって、アルカリイオン水（マイナスイオン水）と強酸性水等の酸性水（プラスイオン水）を生成し、この生成されたアルカリイオン水及び酸性水がアルカリイオン水タンク４５及び酸性水タンク４６にそれぞれ貯留される。
【００２４】
また、電子水生成装置４３、各タンク４５、４６及び食塩用ポリタンク５０は、図１に示すようにラック５１内に適宜に収容配置されて洗浄水供給装置５２を構成するが、この洗浄水供給装置５２は、この例に限定されるものでもなく、洗浄装置１に所定の洗浄水を供給する適宜構成の洗浄水供給装置５２を使用することができる。
【００２５】
一方、点線で示す電気系統において、制御盤１４にはＡＣ１００Ｖ電源が接続されると共に、その入力側には、前記３個の足踏みスイッチ８ａ〜８ｃとセンサ４９が接続されている。さらに、制御盤１４の出力側には、前記ポンプ３８、出口電磁弁３７、水道水電磁弁４０、入口電磁弁４２、三方電磁弁４４等が接続されている。
【００２６】
次に、この洗浄装置１の動作、すなわちバフ６の具体的な洗浄作業の一例について説明する。先ず、使用によって羊毛等からなる研磨部６ｂが汚れたバフ６を、図４の二点鎖線で示すように、その研磨部６ｂが洗浄タンク３内に位置し、本体部６ａが洗浄タンク３の切欠部２０内に位置するようにセットする。この状態で、前述したようにロック機構２７を作動（回動）させて、ロックバー２９のロック部３０でバフ６の本体部６ａを下方に押圧する。これにより、バフ６が洗浄タンク３にロックされる。
【００２７】
そして、バフ６が洗浄タンク３にロックされたら、バフ６の電源ブラグを作業台部２ａのコンセント７に差し込み、バフ６の電源スイッチ（図示せず）をオンさせてその研磨部６ｂを回転させつつ、次の手順で３つの足踏みスイッチ８ａ〜８ｃを順に操作する。先ず、最初は、足踏みスイッチ８ａを足で押圧操作することにより、制御盤１４からの制御信号で水道水電磁弁４０が開いて（出口電磁弁３７及び入口電磁弁４２は閉状態）、開いているバルブ４１を介して水道水がノズル１８に供給される。
【００２８】
この水道水には所定の圧力が付与されているため、その圧力によってノズル１８から水道水が上方に向かって、図４の矢印イの如く噴射し、バフ６の回転している研磨部６ｂに下方から吹き付けられる。この時、研磨部６ｂは、支持部材２１で掻き回された状態で回転しているため、水道水が研磨部６ｂ内（各羊毛間）まで進入して、比較的大きなゴミや異物等が洗い流され、この水道水は、洗浄タンク３の底面３ａの孔１６から図４の矢印ロの如く排水管１９内に排水される。
【００２９】
水道水による洗浄が終了すると、足踏みスイッチ８ａの押圧操作を解除して、隣りに位置する足踏みスイッチ８ｂを押圧操作する。この足踏みスイッチ８ｂの押圧操作により、制御盤１４の制御信号で三方電磁弁４４がアルカリイオン水側が切り替わると共に、ポンプ３８が作動しかつ出口電磁弁３７が開く（水道水電磁弁４０は閉状態）。これにより、アルカリイオン水タンク４５内のアルカリイオン水がポンプ３８で汲み上げられてノズル１８に供給され、アルカリイオン水がバフ６の研磨部６ｂに噴射される。
【００３０】
このアルカリイオン水が研磨部６ｂに噴射されることにより、水道水では除去できずに研磨部６ｂに付着しているワックス等の油脂物や酸化物が、アルカリイオン水と中和してコロイド状となり、研磨部６ｂを形成する羊毛等から分離、すなわち研磨部６ｂから除去され、このアルカリイオン水が排水管１９から排水される。
【００３１】
アルカリイオン水を所定時間供給したら、次に、足踏みスイッチ８ｂの押圧操作を解除して、足踏みスイッチ８ｃを押圧操作する。この足踏みスイッチ８ｃの押圧操作により、制御盤１４からの制御信号で、三方電磁弁４４が酸性水側に切り替わると共に、ポンプ３８が作動しかつ出口電磁弁３７が開く（水道水電磁弁４０は閉状態）。これにより、酸性水タンク４６内の酸性水がポンプ３８で汲み上げられてノズル１８に供給され、酸性水がバフ６の研磨部６ｂに噴射される。
【００３２】
この酸性水が研磨部６ｂに噴射されることにより、例えば無数の毛からなる研磨６ｂ部の羊毛がリンスされた状態になると共に漂白され、羊毛の各毛がほぐれかつ色の白い研磨部６ｂが得られる。酸性水を所定時間供給して洗浄したら、足踏みスイッチ８ｃの押圧操作を解除する。これにより、一例の洗浄作業が終了し、ロック機構２７を解除する等して、洗浄したバフ６を洗浄タンク３から取り出し、例えば研磨部６ｂを適宜の方法で乾燥させることによって、バフ６が再使用され得る状態となる。
【００３３】
そして、このバフ６を使用して自動車のボディを研磨する場合、例えば前記アルカリイオン水をハブ６の研磨部６ａに塗布（付着）させたりボディに塗布して使用することにより、アルカリイオン水を界面活性剤として利用することができ、また、研磨時に酸性水を使用することにより、ボディの塗装面の漂白作用と収斂作用が得られ、良好なボディ面を容易に得ることができる。
【００３４】
このように、上記実施例の洗浄装置１によれば、洗浄タンク３の底面３ａに、水道水、アルカリイオン水及び酸性水を上方に向けて噴射するノズル１８を設け、洗浄タンク３内にバフ６の研磨部６ｂを支持する支持部材２１を配置すると共に、バフセット用の切欠部２０を設けているため、研磨部６ｂが汚れたバフ６を洗浄タンク３にセットした際に、支持部材２１により研磨部６ｂを確実に支持することができると共に、回転している研磨部６ｂの羊毛等を棒状の支持部材２１で掻き回し（ほぐし）つつ、所定の洗浄水を研磨部６ｂに噴射することができる。その結果、研磨部６ｂの羊毛等に付着したゴミや油脂物等を洗い流すことができて、洗浄効率を向上させることができる。
【００３５】
特に、洗浄水として水道水、アルカリイオン水及び酸性水の３種類を使用するすると共に、先ず水道水で大きなゴミを落とし、次にアルカリイオン水で油脂物や酸化物を研磨部６ｂから分離し、さらに、酸性水で研磨部６ｂの羊毛等にリンス効果を持たせると共に漂白するため、研磨部６ｂの汚れを確実かつ効果的に落とすことができる。また、３種類の洗浄水に対応して３つの足踏みスイッチ８ａ〜８ｃを設け、この足踏みスイッチ８ａ〜８ｃの押圧操作に対応して、所定の洗浄水を択一的に洗浄タンク３内に供給することができるため、予め設定した所定の順序で洗浄水を供給して洗浄することができて、洗浄作業の一層の効率向上を図ることが可能になる。
【００３６】
また、洗浄タンク３内に設けられる棒状の支持部材２１が、平面視で略十字形状に形成されると共に、各支持部にコロ状の受け部２２が設けられているため、支持部材２１と研磨部６ｂの当接面積をより小さくすることができて、研磨部６ｂに各洗浄水を効果的に噴射することができると共に、棒状の支持部材２１及び受け部２２が回転する研磨部６ｂの羊毛等を自動的（機械的）に掻き回す（ほぐす）ことができて、研磨部６ｂ内に付着したゴミ等を容易かつ効率的に除去することができる。
【００３７】
また、支持部材２１がスプリング２５によって弾性支持されているため、洗浄中のバフ６の回転による振動を吸収することができると共に、ロック機構２７によるロック時に所定の押圧力を付与させることができ、回転動作しているバフ６を安定して保持することができる。これらのことから、バフ６の研磨部６ｂのより良好な洗浄効果が容易に得られると共に、バフ６の洗浄タンク３へのセット作業を容易に行うことが可能になる。
【００３８】
さらに、作業台部２ａにロック機構２７を設け、洗浄タンク３にセットされたバフ６を固定保持するため、洗浄作業中のバフ６の洗浄タンク３からの飛び出しを確実に防止することができると共に、バフ６を常時手で押さえたり保持する必要もなくなり、洗浄作業の安全性を向上させることができて、ＰＬ法に合致した洗浄装置１を得ることができる。
【００３９】
また、本体２の作業台部２ａの下部に３つの足踏みスイッチ８ａ〜８ｃを設け、足の押圧操作で所定の洗浄水を供給することができるため、各洗浄水を確実に供給することができると共に、洗浄水の供給を足の操作で行い手による操作が不要となり、洗浄装置１の操作性が良好になる等、洗浄作業の作業性を向上させることが可能になる。またさらに、洗浄装置１と洗浄水供給装置５２が別体で形成されているため、洗浄水供給装置５２をユーザーで適宜に準備させることにより、洗浄装置１自体をより安価に形成することができて、ユーザーへの提供を容易効果的に行うことができる。
【００４０】
なお、上記実施例においては、本体２の作業台部２ａの下部に各洗浄水に対応した足踏みスイッチ８ａ〜８ｃをそれぞれ配置し、各足踏みスイッチ８ａ〜８ｃの押圧操作で所定の洗浄水を択一的に洗浄タンク３内に供給するように構成したが、本発明はこれに限定されるものでもなく、例えば各洗浄水の作動時間と順序を予めタイマーやシーケンサー等で設定し、このタイマー等による制御盤１４の制御信号に基づいて、各洗浄水を自動的に切り替え供給するように構成することもできる。
【００４１】
また、上記実施例における、配管及び電気系統のフロー図、支持部材２１の形状及びその弾性支持構造、ロック機構２７の構造、各種洗浄水の種類やその供給方法、バフ６の研磨部６ｂの材質等も一例であって、本発明に係わる各発明の要旨を逸脱しない範囲において種々変更可能であることはいうまでもない。
【００４２】
【発明の効果】
以上詳述したように、請求項１記載の発明によれば、洗浄タンク内にバフの研磨部を支持する棒状の支持部材を配置すると共に、洗浄タンクの底面のノズルから少なくともマイナスイオン水やプラスイオン水からなる洗浄水を制御装置によって択一的に供給することができるため、羊毛等からなる研磨部を支持部材で掻き回し（ほぐし）つつ所定の洗浄水で洗浄することができ、研磨部の洗浄効率を向上させることができると共に、支持部材上にバフを安定支持できて、洗浄作業の作業性を向上させることができる。
【００４３】
また、請求項２記載の発明によれば、請求項１記載の発明の効果に加え、洗浄タンクにセットされたバフをロック機構で洗浄タンクに固定保持することができるため、洗浄作業中、回転している研磨部の位置を安定化させることができて、その洗浄効率をより向上させることができると共に、回転作動中のバフの洗浄タンクからの飛び出し等が確実に防止されて、洗浄作業の安全性を向上させることができる。
【００４４】
また、請求項３記載の発明によれば、請求項１または２記載の発明の効果に加え、バフの研磨部が略十字形状の支持部材上に載置されるため、研磨部と支持部材の当接面積が小さくなり、研磨部に各種洗浄水が良好に噴射されると共に、支持部材が例えばスプリング等で弾性支持されていることから、バフの回転時の振動等がスプリング等で吸収され、洗浄中のバフをより安定した状態に保持できて、洗浄効率等をより一層向上させることができる。
【００４５】
また、請求項４記載の発明によれば、請求項１ないし３記載の発明の効果に加え、マイナスイオン水、プラスイオン水、水道水からなる３種類の洗浄水が、各洗浄水に対応して設けた足踏みスイッチの操作によって、制御装置を介して洗浄タンク内に所定の順序で噴射されるため、各洗浄水の択一的な噴射を確実に行うことができると共に、手による洗浄水の供給操作が不要になる等、洗浄作業の作業性をより向上させることができる等の効果を奏する。
【図面の簡単な説明】
【図１】本発明に係わるバフ用洗浄装置の一実施例を示す設置状態の正面図
【図２】同図１のＡ−Ａ線矢視図
【図３】同図１のＢ−Ｂ線矢視図
【図４】同洗浄タンクの断面図
【図５】同ロック機構の正面図
【図６】同配管及び電気系統の一例を示すフロー図
【図７】従来の洗浄装置の一例を示す正面図
【符号の説明】
１・・・・・・・洗浄装置
２・・・・・・・本体
３・・・・・・・洗浄タンク
３ａ・・・・・・底面
６・・・・・・・バフ
６ａ・・・・・・本体部
６ｂ・・・・・・研磨部
８ａ〜８ｃ・・・足踏みスイッチ
１４・・・・・・制御盤
１８・・・・・・ノズル
２０・・・・・・切欠部
２１・・・・・・支持部材
２２・・・・・・受け部
２５・・・・・・スプリング
２７・・・・・・ロック機構
２８・・・・・・ブラケット
２９・・・・・・ロックバー
３０・・・・・・ロック部
３７・・・・・・出口電磁弁
３８・・・・・・ポンプ
４０・・・・・・水道水電磁弁
４２・・・・・・入口電磁弁
４３・・・・・・電子水生成装置
４４・・・・・・三方電磁弁
４５・・・・・・アルカリイオン水タンク
４６・・・・・・酸性水タンク
５０・・・・・・食塩用ポリタンク
５２・・・・・・洗浄水供給装置
【図１】
0003559809.tif 000002
【図２】
0003559809.tif 000003
【図３】
0003559809.tif 000004
【図４】
0003559809.tif 000005
【図５】
0003559809.tif 000006
【図６】
0003559809.tif 000007
【図７】
0003559809.tif 000008